(57)【要約】【課題】植物の栽培に必要な水を貯留でき、余分な水を排出できるようにする。【解決手段】箱状の容器本体２の底部６に、縦横に延びる上げ底部８と、この縦横の上げ底部８で区画形成された貯水凹部９とが形成され、前記上げ底部８には、貯水凹部９からあふれ出た水を排出する排水口１２が形成されており、前記容器本体２の底部６には、上げ底部８よりも上方に突出した筒部１８が形成されており、この筒部１８には、容器本体２の周壁７の排水高さよりも低い位置に排水孔１９が形成されている。【選択図】図１
2006006215.tif 000002
【特許請求の範囲】
【請求項１】
箱状の容器本体（２）の底部（６）に、縦横に延びる上げ底部（８）と、この縦横の上げ底部（８）で区画形成された貯水凹部（９）とが形成され、
前記上げ底部（８）には、貯水凹部（９）からあふれ出た水を排出する排水口（１２）が形成されており、
前記容器本体（２）の底部（６）には、上げ底部（８）よりも上方に突出した筒部（１８）が形成されており、この筒部（１８）には、容器本体（２）の周壁（７）の排水高さよりも低い位置に排水孔（１９）が形成されていることを特徴とする緑化容器。
【請求項２】
前記上げ底部（８）の上面の排水口（１２）の周囲には、上げ底部（８）上に敷かれる植物培養体（５）との間に空間を形成する空間形成手段（１５）が設けられていることを特徴とする請求項１に記載の緑化容器。
【請求項３】
前記周壁（７）の上部には、周壁（７）上縁よりも下位に排水溝（２２）が形成されていることを特徴とする請求項１または２に記載の緑化容器。
【請求項４】
前記容器本体（２）は、複数個を上下に積み重ね自在とされており、各容器本体（２）の外面には、複数の容器本体（２）を積み重ねた方向に巻き付ける結束バンド（３２）の巻き付け位置を決める位置決め手段（３５）が設けられていることを特徴とする請求項１から３のいずれかに記載の緑化容器。
【請求項５】
前記筒部（１８）に貫通して容器本体（２）が敷設される床部に固定される固定具（４）が備えられていることを特徴とする請求項１から４のいずれかに記載の緑化容器。
【請求項６】
前記周壁（７）には容器本体（２）同士を連結する連結部（２８）が設けられ、連結部（２８）同士を向かい合わせにして連結する連結具（３）が備えられていることを特徴とする請求項１から５のいずれかに記載の緑化容器。
【発明の詳細な説明】
【技術分野】
【０００１】
本発明は、例えばビルの屋上等に敷設される緑化容器に関するものである。
【背景技術】
【０００２】
従来、例えばヒートアイランド現象の軽減等のために屋上等に敷設される緑化容器として、容器の底部より突出した複数の脚部を有し、この脚部を中空状に形成したものがある。
この従来の緑化容器では、脚部の底に貫通孔が形成されており、屋上に設けられた水貯留部にこの容器を配置すると、前記貫通孔から脚部内に水が入り、脚部内に設けた水吸い上げ部材によって水を吸い上げて植物に供給するようになっている（例えば特許文献１参照）。
【特許文献１】特開２００３−２９９４０９号公報
【発明の開示】
【発明が解決しようとする課題】
【０００３】
従来の緑化容器では、水貯留部が屋上に設けられていたため、緑化容器自体に水を貯留できず、緑化容器を運搬している間等に植物への水の供給が断たれる場合があった。
そこで、本発明は、植物の栽培に必要な水を貯留でき、余分な水を排出できる緑化容器を提供することを目的とする。
【課題を解決するための手段】
【０００４】
本発明は上記目的を達成するために以下の技術的手段を講じた。
すなわち、箱状の容器本体２の底部６に、縦横に延びる上げ底部８と、この縦横の上げ底部８で区画形成された貯水凹部９とが形成され、前記上げ底部８には、貯水凹部９からあふれ出た水を排出する排水口１２が形成されており、前記容器本体２の底部６には、上げ底部８よりも上方に突出した筒部１８が形成されており、この筒部１８には、容器本体２の周壁７の排水高さよりも低い位置に排水孔１９が形成されていることを特徴とする。
これによれば、貯水凹部９に植物の生育に必要な水を貯水することができ、貯水凹部９の貯水量を超える余分な水を排水口１２と排水孔１９によって順次排水することができる。
【０００５】
また、前記上げ底部８の上面の排水口１２の周囲には、上げ底部８上に敷かれる植物培養体５との間に空間を形成する空間形成手段１５が設けられていることを特徴とする。
これによれば、植物培養体５によって排水口１２が塞がれるのを防止できる。
また、前記周壁７の上部には、周壁７上縁よりも下位に排水溝２２が形成されていることを特徴とする。
これによれば、排水口１２、排水孔１９に加え、この排水溝２２によって、排水能力を向上できる。
【０００６】
また、前記容器本体２は、複数個を上下に積み重ね自在とされており、各容器本体２の外面には、複数の容器本体２を積み重ねた方向に巻き付ける結束バンド３２の巻き付け位置を決める位置決め手段３５が設けられていることを特徴とする。
これによれば、複数の容器本体２を結束した結束バンド３２の巻き付け位置がずれることがなくなり、これによって複数の容器本体２を安定した状態で運搬することができる。
また、前記筒部１８に貫通して容器本体２が敷設される床部に固定される固定具４が備えられていることを特徴とする。
【０００７】
これによれば、容器本体２を屋上等の床部に強固に固定することができる。
また、前記周壁７には容器本体２同士を連結する連結部２８が設けられ、連結部２８同士を向かい合わせにして連結する連結具３が備えられていることを特徴とする。
これによれば、容器本体２を屋上等に規則正しく配列することができる。
【発明の効果】
【０００８】
本発明によれば、植物の栽培に必要な水を貯留でき、しかも余分な水を排出できる。
【発明を実施するための最良の形態】
【０００９】
以下、本発明の実施の形態を図面を参照しながら説明する。
図１乃至図４に示すように、緑化容器１は、箱状の容器本体２と、この容器本体２同士を連結する連結具３である連結フックと、容器本体２を屋上等の床部に固定する固定具４を有している。
容器本体２は、樹脂製で、平面視４角形（長方形）状とされている。容器本体２内には植物を培養するための植物培養体５が敷かれており、この植物培養体５に植物が植えられている。植物培養体５は、例えば、底部６に敷かれる不織布５ａと、不織布５ａの上に盛られる培養土５ｂ等からなる。容器本体２に植えられる植物は、芝、セダム類等の気温の高低や乾湿に強いものが用いられる。
【００１０】
容器本体２の底部６は、凹凸状に形成されており、この底部６の周縁に所定の排水高さの周壁７が形成されている。この底部６の内面側（上面側）には、縦横に延びる上げ底部８と、この上げ底部８により区画された貯水凹部９が形成されている。底部６の外面側（下面側）には多数の脚部１０が形成されている。
容器本体２に設けられた多数の脚部１０のうち、容器本体２の長手方向両端部に設けられたものは、補強リブが他の脚部１０よりも多く設けられており、強度が高められている。これは、例えば、ビルの屋上が凹凸状の折板屋根構造の場合に、屋根の凸部間に容器本体２を架設した場合に、容器本体２の長手方向両端部のみで容器本体２を支持することがあるためである。このように容器本体２は、様々な屋根構造に順応して敷設可能な構成となっている。
【００１１】
上げ底部８は、直線状とされていて、これを縦横に交差させた格子形状とされており、この上げ底部８に区画された貯水凹部９は、平面視で四角形状とされ、容器本体２の底部６に縦横に規則正しく整列配置されている。このように貯水凹部９を配列することで、緑化容器１は、貯水凹部９から植物に均等に水を供給できるようになっている。
上げ底部８には、貯水凹部９からあふれ出た水を排出する排水口１２が形成されている。この排水口１２は、平面視円形で、上げ底部８の上面側で上下貫通状に形成されている。また、排水口１２は、上げ底部８の交差した部分（以下、交差部１３という）と、直線部分１４の途中に形成されている。上げ底部８の交差部１３には複数（図例では４つ）の排水口１２が形成されている。
【００１２】
この交差部１３の上面の排水口１２の周囲には、上方に突出した突起部１５が複数（図例では４つ）形成されている。この突起部１５は、隣り合う排水口１２の中間位置に形成されている。この突起部１５は上げ底部８上に植物培養体５を敷いたときに排水口１２と植物培養体５との間に空間を形成する空間形成手段となっており、上げ底部８上に敷かれた不織布５ａが排水口１２を閉塞するのを防止している。
上げ底部８の周壁７寄り位置には、植物培養体５の位置ずれを防止する位置ずれ防止突起１６が形成されている。この位置ずれ防止突起１６は、周壁７の内周に沿って間隔をおいて複数形成されている。位置ずれ防止突起１６は尖端状とされており、底部６に敷かれた不織布５ａに突き刺さってこの不織布を固定する。
【００１３】
容器本体２の底部６に不織布５ａを敷くことにより、不織布５ａ上に盛られた培養土５ｂの保水性が向上されており、さらに貯水凹部９に水を貯めておくことで、常時、植物に
水を供給することが可能である。そして、貯水凹部９の周りには排水口１２を形成し、排水口１２の周りには空間形成手段によって、つねに不織布５ａとの間に空間が形成されているので、余分な水は常時この排水口１２から排出されるようになっているため、植物に過剰な水が供給されることが防止されている。
容器本体２の底部６のほぼ中央部には、上げ底部８よりも上方に突出した筒部１８が形成されている。この筒部１８は、円錐台状または円筒状とされている。
【００１４】
筒部１８の側面には、容器本体２内の水を排出する排水孔１９が形成されている。この排水孔１９は、上下に長いスリット状とされており、筒部１８の周方向に沿って間隔をおいて複数（図例では４つ）形成されている。この排水孔１９は、上げ底部８の排水口１２よりも高い位置で、かつ容器本体２の周壁７の排水高さ（上端）よりも低い位置に形成されている。
筒部１８の上部（上面）には、上下貫通状の孔２０が形成されており、この孔２０は前記固定具４を挿通する挿通孔となっている。
【００１５】
容器本体２の周壁７の上部には、容器本体２内の水を排出する排水溝２２が形成されている。この排水溝２２は、周壁７の上縁よりも下位（低い位置）に形成されている。排水溝２２は、周壁７の周方向に沿って間隔をおいて複数形成されている。図２に示すように、平面視長方形状とされた容器本体２の角部２３は面取りがなされており、この角部２３にも排水溝２２が形成されている。このように角部２３に面取りがなされているため、容器本体２を密着させて並べたときに、４個の容器本体２の各角部２３によって囲われた部分が開口部２４となり、各角部２３の排水溝２２から排出される水は、この開口部２４を通じて下方の屋上等の床部に向かって流れるようになっている。
【００１６】
また、容器本体２の周壁７の内面側には、周壁７の内周に沿って複数の補強リブ２６が形成されており、この補強リブ２６の上端は、周壁７の上縁７ａよりも低くなっている。
上述のように、容器本体２に設けられた排水口１２、排水孔１９、排水溝２２によって、容器本体２内に注がれた水の量に応じて、迅速な排水ができるようになっている。
すなわち、排水口１２は、貯水凹部９の近傍の上げ底部８上面に形成されているので、貯水凹部９によって植物の栽培に必要な水を確保でき、貯水凹部９の貯水量を超える余分な水を排水口１２から排出できる。
【００１７】
さらに、例えば雨等によって、容器本体２内に多量の水が注がれた場合には、排水口１２による排水と排水口１２の上方に設けられた筒部１８の排水孔１９とによって排水することができる。そして、さらに多量の水が容器本体２内に侵入した場合には、周壁７の排水溝２２による排水も可能である。このように、排水口１２よりも高い位置に排水孔１９を設け、この排水孔１９よりも高い位置に排水溝２２を設けることによって、緑化容器１は、３段の排水手段を備えることになり、容器本体２内に侵入した水の量に応じた排水ができるようになっている。
【００１８】
容器本体２の周壁７には、容器本体２同士を連結するための連結部２８が形成されている。この連結部２８は、周壁７の外面側が凹むように、周壁７を内方突出状に形成し、外面側の凹部に水平方向に向いた棒状部２９を形成した構成となっている。容器本体２は、この連結部２８同士が向かい合わせになるように配置し、連結具３を両方の連結部２８に取り付けることで連結されるようになっている。
連結具３である連結フックは、図５に示すように、コ字状に形成されており、その両端部には前記棒状部２９に引っ掛ける掛止突起部３１が形成されている。
【００１９】
図１、図６、図７において、前記固定具４は、合成樹脂製で、容器本体２の筒部１８の裏面側に設けられる固定ベース４１と、筒部１８の上側から取り付けられる固定ピン４２を備えている。
固定ベース４１は、屋上等の床部に固定される座部４３と、この座部４３のほぼ中央で上方に突出していて容器本体２の筒部１８内に嵌められる筒部４４を備えている。
座部４３は四角形状の板状とされており、その周縁に上方突出状のリブ４５が形成されている。この座部４３には上下貫通状の孔が複数形成されており、座部４３が屋上等の床面に置かれた状態で、この孔に接着剤を流し込んで床面に固着することができるようになっている。
【００２０】
固定ベース４１の筒部４４は、円筒状または円錐台状とされており、容器本体２の筒部１８の中に挿通できるように、筒部１８よりもやや小さく形成されている。
筒部４４の上端部には、容器本体２の筒部１８の孔２０に挿通される突起部４７が形成されている。この突起部４７は、筒部４４の上端部から上方に突出形成されており、筒部４４に複数（図例では４つ）形成され、筒部４４の円周方向に沿って間隔をおいて環状に配設されている。
突起部４７の先端部には前記孔２０に挿通された突起部４７が抜けはずれないようにするための抜け止め部４８が形成されている。この抜け止め部４８は筒部４４の半径方向外方に突出状に形成されている。
【００２１】
固定ベース４１の筒部４４の上部には、容器本体２の筒部１８の上部には容器本体２の筒部１８に設けられた排水孔１９から排出された水を座部４３側に排出するための第１排水孔４９が形成されており、筒部４４の基部には、前記第１排水孔４９を通じて流れてきた水を屋上等の床に流すための第２排水孔５０が形成されている。
固定ピン４２は、円板状の基部５１と、この基部５１の中央部から板厚方向に突出された第１円筒部５２と、この第１円筒部５２の外側で第１円筒部５２の突出方向と同じ方向に突出された第２円筒部５３とを備えている。
【００２２】
第１円筒部５２と第２円筒部５３は同心状に設けられており、第１円筒部５２の突出長さが第２円筒部５３よりも長くなっている。
第１円筒部５２は、容器本体２の筒部１８の孔２０に突起部４７が挿通された状態で、環状に配設されたこの突起部４７の内側に上方から挿通されるようになっている。
第２円筒部５３は、第１円筒部５２が前記突起部４７の内側に挿通された状態で、突起部４７の先端部分を覆うようになっている。
図３、図４に示すように、容器本体２は、複数個を上下に積み重ねることができるようになっている。
【００２３】
すなわち、容器本体２の脚部１０は、底部６の外面側に間隔をおいて複数形成されており、容器本体２を上下に積み重ねたときに上側の容器本体２の脚部１０が、下側の容器本体２の補強リブ２６の上端に当たるようになっている。したがって、この状態では、上側の容器本体２の底部６外面と、下側の容器本体２の底部６の内面とは接触しないように離間されている。この場合、補強リブ２６の上端よりも周壁７の上端の位置が高くなっており、この下側の容器本体２の周壁７の上部は、上側の容器本体２の脚部１０が下側の補強リブ２６の上端から横方向にずれないようなっている。
【００２４】
容器本体２は、上下に積み重ねた状態で結束バンド３２を巻きつけて縛り付け、運搬できるようになっている。容器本体２の周壁７の上部外面には、結束バンド３２を案内するガイド溝３３が形成されている。
このガイド溝３３は、結束バンド３２が容器本体２の中央を通るように、長方形状の容器本体２の各辺の中央部に設けられている。
ガイド溝３３の下方の脚部１０には、結束バンド３２を案内するガイド凹部３４が形成されている。このガイド凹部３４は、各ガイド溝３３の位置に対応してその直下の脚部１０に形成されている。また、ガイド凹部３４は、底部６の中央部外面側に設けられた脚部１０にも形成されている。
【００２５】
上記のように、ガイド溝３３とガイド凹部３４を形成することで、複数の容器本体２に巻き付けられる結束バンド３２は、容器本体２の中心線Ｘ、Ｙを通り、容器本体２が積み重ねられた方向に沿って巻き付けられることになる。
このように容器本体２に巻き付けられた結束バンド３２は、前記ガイド溝３３とガイド凹部３４によって、横方向に位置ズレしないように規制される。したがって、積み重ねられた複数の容器本体２を荷物として運搬するときに荷崩れをすることがなく、運搬作業を効率的に行うことができる。
【００２６】
このように、ガイド溝３３とガイド凹部３４は結束バンド３２の巻き付け位置を決める位置決め手段３５となっており、容器本体２は、この位置決め手段３５によって、複数個を積み重ねた状態で運搬作業を容易にできるようになっている。
緑化容器１の施工方法を以下に説明する。
まず、予め、容器本体２を屋上等に運び込む前に、栽培場で容器本体２に植物培養体５を敷き、播種し、植物の稚苗を育成する。植物が所定の大きさに育つと、容器本体２を複数個ごとにまとめて荷造りをし、施行場所であるビルの屋上等に運び込む。
【００２７】
容器本体２の荷造りの際には、結束バンド３２を用いる。荷造りには２本の結束バンド３２が用いられ、各結束バンド３２は、平面からみると、容器本体２の中心線を通って十字状に交差（直交）して巻き付けられる。複数の容器本体２を上下に積み重ねると、各容器本体２の周壁７外面に形成された対のガイド溝３３は、上下方向に直線状に並んだ状態になる。これら対のガイド溝３３の間に結束バンド３２を宛い、最下部に位置する容器本体２のガイド凹部３４に結束バンド３２を嵌め込んで容器本体２に巻き付け、図３に示すように締結具３６によって結束バンド３２を締結する。
【００２８】
次に、結束バンド３２で結束された複数の容器本体２を屋上等に運び込み、結束バンド３２をほどき、容器本体２を屋上の床部に並べていく。
容器本体２を並べる際には、図２に示すように各容器本体２の連結部２８同士が向かい合わせになるように容器本体２を並べ、向かい合わせになった各連結部２８の棒状部２９に連結フックを引っ掛けるように取り付けて容器本体２同士を連結する。この連結により、各容器本体２相互の位置がずれることなく、縦横に直線状に規則正しく配列することができる。
【００２９】
そして、図１に示すように、固定具４によって各容器本体２を床部に取り付ける。この取り付けは、まず、固定ベース４１の筒部４４を容器本体２の筒部１８に裏面側から嵌め、さらに筒部１８の孔２０に筒部４４の突起部４７が通るように容器本体２を下方に押し付ける。
このとき抜け止め部４８が孔２０の内面に当接し、突起部４７が内側に弾性変形する。抜け止め部４８が孔２０を通って筒部１８の上方の突出すると、突起部４７の弾性変形が解除されて突起部４７は元の姿勢にもどる。そうすると、抜け止め部４８は、孔２０の縁よりも半径方向外側に位置することになり、これによって容器本体２が固定ベース４１から抜けはずれないようになる。
【００３０】
突起部４７が前記筒部１８の孔２０に挿通されて筒部１８の上方に突出すると、突起部４７の内側に固定ピン４２の第１円筒部５２を上から差し込む。このように、第１円筒部５２が突起部４７の内側に差し込まれると、突起部４７は内側への弾性変形ができなくなる。したがって、突起部４７が内側に弾性変形して前記孔２０から抜けはずれるのを防止できるようになる。このように、固定ピン４２を突起部４７に取り付けると、固定ベース４１の突起部４７が容器本体２の筒部１８を上下に貫通し、この容器本体２は、この固定ベース４１と固定ピン４２とによって上下に挟まれた状態で固定される。
【００３１】
このように固定具４によって各容器本体２を個別に床部に取り付けることによって、敷設された緑化容器１は、屋上の床部に対して強固に固定されることになる。なお、容器本体２の底部６外面は、脚部１０によって、屋上等の床部から離間されており、底部６と床部との間に空間（隙間）が形成されており、排水口１２、排水孔１９、排水溝２２から排出された水がこの空間を通って流れるようになっている。
なお、本発明は上記の実施形態に限らず、以下のように種々の変形・変更が可能である。貯水凹部９は、縦横に配列しなくてもよく、斜めに配列したり、その他自由な配列パターンを採用してもよい。上げ底部８は、格子状に形成せずに、貯水凹部９の配列パターンに応じて貯水凹部９を区画すべく種々の形状を採用してよい。
【００３２】
貯水凹部９は平面視４角形状以外に、円形や他の多角形状に形成するようにしてもよい。
前記位置決め手段３５は、長方形状の周壁７の各辺の中央部に設けられていたが、中央部以外の部位に設けてもよく、この場合に結束バンド３２を３本以上使用することもできる。
連結具３は、向かい合わせにされた連結部２８の両方を棒状部２９を挟むようなものであればよく、例えばクリップ状のものを使用することもできる。
【００３３】
容器本体２に形成された筒部１８は容器本体２の中央部に限らず、任意の位置に形成してよく、容器本体２に筒部１８を複数形成するようにしてもよい。
【図面の簡単な説明】
【００３４】
【図１】緑化容器の縦断面図である。
【図２】容器本体の平面図である。
【図３】容器本体が積み重ねられた状態を示す縦断面図である。
【図４】容器本体が積み重ねられた状態を示す側面図である。
【図５】容器本体同士の連結状態を示す部分断面図である。
【図６】容器本体を固定具により固定している状態を示す断面図である。
【図７】固定具の裏面図である。
【符号の説明】
【００３５】
１    緑化容器
２    容器本体
３    連結具
４    固定具
５    植物培養体
６    底部
７    周壁
８    上げ底部
９    貯水凹部
１２    排水口
１５    空間形成手段
１８    筒部
１９    排水孔
２２    排水溝
２８    連結部
３２    結束バンド
３５    位置決め手段
【図１】
2006006215.tif 000003
【図２】
2006006215.tif 000004
【図３】
2006006215.tif 000005
【図４】
2006006215.tif 000006
【図５】
2006006215.tif 000007
【図６】
2006006215.tif 000008
【図７】
2006006215.tif 000009